(57)【要約】      （修正有）【課題】ダストボックス内に仕切りを設けることがなくかつ家庭用シュレッダーとしてのコンパクト性を満足しうる記録媒体加工装置を提供する。【解決手段】記録媒体に書き込まれた情報を読み取れないように当該記録媒体に物理的加工を施す記録媒体加工装置であって、装置本体内に記録媒体を投入するための投入口１２と、投入口１２から投入された記録媒体に物理的加工を施す物理的加工手段１５と、物理的加工が施された記録媒体の位置情報を取得する位置情報取得手段１６ａ，１６ｂと、位置情報に応じて、記録媒体を投入口方向に送り戻すように制御する。【選択図】図１
0003124069.tif 000002
【実用新案登録請求の範囲】
【請求項１】
記録媒体に書き込まれた情報を読み取れないように当該記録媒体に物理的加工を施す記録媒体加工装置であって、
装置本体内に記録媒体を投入するための投入口と、
前記投入口から投入された記録媒体に物理的加工を施す物理的加工手段と、
前記物理的加工が施された記録媒体の位置情報を取得する位置情報取得手段と、
前記位置情報取得手段によって取得された位置情報に応じて、前記記録媒体を前記投入口方向に送り戻すように制御する第１制御部と、
を備えることを特徴とする記録媒体加工装置。
【請求項２】
前記投入口から投入された記録媒体を検出する検出手段と、
前記検出手段が記録媒体を検出した場合に、物理的加工が開始されるように前記物理的加工手段を制御する第２制御部と、
をさらに備える請求項１に記載の記録媒体加工装置。
【請求項３】
前記記録媒体はＣＤ及び／又はＤＶＤである請求項１又は請求項２に記載の記録媒体加工装置。
【請求項４】
装置本体内に紙を投入するための紙用投入口と、
前記紙用投入口から投入された紙を細断する細断手段と、
をさらに備える請求項１から請求項３のいずれか１項に記載の記録媒体加工装置。
【請求項５】
前記物理的加工手段はエンボス加工手段である請求項１から請求項４のいずれか１項に記載の記録媒体加工装置。
【請求項６】
前記位置情報取得手段はセンサーで構成され、
第１制御部は、
前記センサーが記録媒体を検出した場合に、当該記録媒体を前記投入口方向に送り戻すように制御することを特徴とする請求項１から請求項５のいずれか１項に記載の記録媒体加工装置。
【請求項７】
第１制御部は、
前記センサーが記録媒体を検出して所定期間経過後に、当該記録媒体を前記投入口方向に送り戻すように制御することを特徴とする請求項６に記載の記録媒体加工装置。
【請求項８】
前記位置情報取得手段はスイッチで構成され、
第１制御部は、
前記スイッチが記録媒体を検出した場合に、当該記録媒体を前記投入口方向に送り戻すように制御することを特徴とする請求項１から請求項５のいずれか１項に記載の記録媒体加工装置。
【請求項９】
第１制御部は、
前記スイッチが記録媒体を検出して所定期間経過後に、当該記録媒体を前記投入口方向に送り戻すように制御することを特徴とする請求項８に記載の記録媒体加工装置。
【請求項１０】
記録媒体の表面積の少なくとも２分１に物理的加工を施すように、前記センサー又はスイッチが設置される請求項６から請求項９のいずれか１項に記載の記録媒体加工装置。
【請求項１１】
前記位置情報取得手段はタイマーであり、物理的加工が開始されてから所定時間をカウントするように構成され、
第１制御部は、
前記タイマーのカウント値が所定値の場合に、前記記録媒体を前記投入口方向に送り戻すように制御することを特徴とする請求項１から請求項５のいずれか１項に記載の記録媒体加工装置。
【考案の詳細な説明】
【技術分野】
【０００１】
本発明は、記録媒体に書き込まれた情報を読み取れないように当該記録媒体に物理的加工を施す記録媒体加工装置に関する。
【背景技術】
【０００２】
従来から、情報が記録された紙を細断する紙用シュレッダーが公知である。また、近年の情報化により他人に知られたくない情報が書き込まれたＣＤやＤＶＤ等の記録媒体についても紙同様に細断する記録媒体用シュレッダーも公知である（登録実用新案公報第３０４９９２３号）。さらに、紙と記録媒体の両方に対応した両用シュレッダーも公知である（登録実用新案公報第３１１２３６４号、登録実用新案公報第３１２０５９４号）。そして、これらシュレッダーは、事務用のみならず家庭用としても普及している。
【０００３】
家庭用シュレッダーとしてはコンパクトであり、かつゴミ分別回収の観点から紙とプラスチックとの分別回収が可能であることが望まれる。
【０００４】
この紙及び記録媒体両用シュレッダーとして、例えば、上記分別回収が可能となるように、ダストボックス内を、紙細断片を収納する部分とプラスチックを収納する部分とに仕切ることによって分別収納することが公知である（特許文献１参照）。
【特許文献１】特開２００５−３０５３１９号公報
【考案の開示】
【考案が解決しようとする課題】
【０００５】
しかしながら、上記のようにダストボックス内に仕切りを設けることはダストボックス製造コストの観点から改善が望まれていた。
【０００６】
また、ＣＤやＤＶＤの直径は１２ｃｍであり、ダストボックス部分の高さをそれ以上に設定する必要がある。しかし、家庭用シュレッダーとしてコンパクト性が要求されているため、ダストボックス高さ寸法の改善が望まれていた。
【０００７】
そこで、本発明の目的は、上記従来技術の有する問題点に鑑みて、ダストボックス内に仕切りを設けることがなく、かつ家庭用シュレッダーとしてのコンパクト性を満足しうる記録媒体加工装置を提供することにある。
【課題を解決するための手段】
【０００８】
上記課題を解決するため、本考案に係る記録媒体加工装置は、記録媒体に書き込まれた情報を読み取れないように当該記録媒体に物理的加工を施す記録媒体加工装置であって、
装置本体内に記録媒体を投入するための投入口と、
前記投入口から投入された記録媒体に物理的加工を施す物理的加工手段と、
前記物理的加工が施された記録媒体の位置情報を取得する位置情報取得手段と、
前記位置情報取得手段によって取得された位置情報に応じて、前記記録媒体を前記投入口方向に送り戻すように制御する第１制御部と、
を備えることを特徴とする。
【０００９】
この構成によれば、記録媒体加工装置は、当該装置本体内に記録媒体を投入するための投入口と、当該投入口から投入された記録媒体に物理的加工を施す物理的加工手段と、物理的加工が施された記録媒体の位置情報を取得する位置情報取得手段とを備える。そして、第１制御部は、位置情報取得手段によって取得された位置情報に応じて、記録媒体を投入口方向に送り戻すように制御する。
【００１０】
これによって、記録媒体が所定位置に達した場合に、記録媒体を投入口方向に戻すことができ、記録媒体をダストボックス内に送りこむことがないので、ダストボックスを別途設ける必要がなく、装置をコンパクトに設計できる。また記録媒体を投入口に送り戻す構成であるので、記録媒体の排出口を別途設ける必要がない。
【００１１】
また、本発明の記録媒体加工装置の実施態様として、
投入口から投入された記録媒体を検出する検出手段と、
検出手段が記録媒体を検出した場合に、物理的加工が開始されるように前記物理的加工手段を制御する第２制御部とをさらに備えることを特徴とする。
【００１２】
この構成によれば、記録媒体加工装置は、投入口から投入された記録媒体を検出する検出手段をさらに備え、第２制御部が、当該検出手段が記録媒体を検出した場合に、物理的加工が開始されるように物理的加工手段を制御する。検出手段は、記録媒体の中心孔が投入口内部に入ったか否かを検出できるように構成されることが好ましい。
【００１３】
これによって、記録媒体が投入口に挿入され所定位置に達した場合になってから、物理的加工が開始されるので、例えば、ＣＤ等の中心孔に指を挿入したままＣＤを挿入して、そのまま指が引き込まれるような事故を未然に防ぐことができる。
【００１４】
また、本発明の記録媒体加工装置の実施態様として、記録媒体加工装置は、
装置本体内に紙を投入するための紙用投入口と、
紙用投入口から投入された紙を細断する細断手段と、
をさらに備えることを特徴とする。
【００１５】
この構成によれば、記録媒体加工装置は、装置本体内に紙を投入するための紙用投入口と、紙用投入口から投入された紙を細断する細断手段とをさらに備え、紙用の細断機能も有する構成である。細断された紙はダストボックス内に収納されるが、記録媒体は上記したように投入口に戻る構成であるため、細断された紙と記録媒体が同じダストボックス内に収納されることがない。さらに、ダストボックス内に細断された紙と記録媒体を分別するための仕切りを設ける必要がない。また、記録媒体外径寸法（例えば１２ｃｍ）よりも小さい高さ寸法でダストボックスを設定できるので、装置の高さ寸法が小さくなり、装置全体サイズがコンパクトとなる。
【００１６】
また、本発明の記録媒体加工装置の実施態様として、位置情報取得手段はセンサーで構成され、第１制御部は、センサーが記録媒体を検出した場合に、当該記録媒体を投入口方向に送り戻すように制御することを特徴とする。
【００１７】
また、第１制御部は、センサーが記録媒体を検出して所定期間経過後に、当該記録媒体を投入口方向に送り戻すように制御することができる。
【００１８】
また、本発明の記録媒体加工装置の実施態様として、位置情報取得手段はスイッチで構成され、第１制御部は、スイッチが記録媒体を検出した場合に、当該記録媒体を前記投入口方向に送り戻すように制御することを特徴とする。
【００１９】
また、第１制御部は、スイッチが記録媒体を検出して所定期間経過後に、当該記録媒体を前記投入口方向に送り戻すように制御することができる。
【００２０】
また、本発明の記録媒体加工装置の実施態様として、記録媒体の表面積の少なくとも２分の１に物理的加工を施すように、センサー又はスイッチが設置されることが好ましい。これは、記録媒体の表面積の少なくとも２分の１に物理的加工がなされたら、記録媒体からのデータ読み取りができないからである。また、「少なくとも２分の１に物理的加工を施す」が、好ましくは、２分の１〜３分の２の範囲に物理的加工を施すことが好ましい。また、記録媒体の表面全体に対し完全に加工されていたほうが使用者が安心するという心理的観点から、略全表面について加工を施すように構成してもよい。
【００２１】
また、本発明の記録媒体加工装置の実施態様として、位置情報取得手段はタイマーであり、物理的加工が開始されてから所定時間をカウントするように構成され、第１制御部は、タイマーのカウント値が所定値の場合に、記録媒体を前記投入口方向に送り戻すように制御することを特徴とする。この「所定値」は、記録媒体の表面積の少なくとも２分の１に物理的加工を施すように設定されることが好ましい。「所定値」は、記録媒体の送りこみ速度と記録媒体の直径寸法から演算される。
【００２２】
また、本発明の記録媒体はＣＤ及び／又はＤＶＤである。ＣＤ及び／又はＤＶＤは、その直径が例えば８ｃｍ、１２ｃｍ等である。
【００２３】
また、物理的加工手段はエンボス加工手段であり、物理的加工はエンボス加工である。エンボス加工手段及びエンボス加工は、記録媒体からデータを読み取ることができないようになされれば公知のエンボス加工手段及びエンボス加工を適用できる。エンボス加工の程度は記録媒体からデータが読み取られないようになされれば特に制限されないが、例えば、１ｃｍ間隔で１つの傷が形成されるように構成することができる。この傷の深さ、サイズ、間隔も読取不可能の目的が達成されれば特に制限されない。
【考案を実施するための最良の形態】
【００２４】
（実施形態１）
以下に本発明の記録媒体加工装置について図面を用いて説明する。図１は、記録媒体加工装置の一例の外観図である。また、図２は、図１に示す記録媒体加工装置の正面及び側面の断面模式図及び上面模式図である。
【００２５】
図１に示すように、記録媒体加工装置１０は、装置本体１０ａ、細断収納部１０ｂ、電源スイッチ１１、表示部１１ａ、記録媒体用投入口１２、紙用投入口１３を備える。
【００２６】
細断収納部１０ｂは少なくとも正面側が透明であり内部に収納される細断片の収納状態を外部から目視できる。細断収納部１０ｂは、例えばプラスチックで構成され、その高さ寸法は、記録媒体の高さ（例えばＣＤであれば８ｃｍ又は１２ｃｍ）よりも低く設定できる。
【００２７】
表示部１１ａは、例えば、電源スイッチ１１がＯＮ状態であれば投光するＬＥＤで構成できる。また、後述する物理的加工手段の動作中に投光するように構成することもできる。
【００２８】
記録媒体用投入口１２又は紙用投入口１３は、その目的に応じた開口サイズを有する。
【００２９】
図２（ａ）に示すように記録媒体用投入口１２は、装置の中央部頂点に形成される。このように形成することで、記録媒体を投入し易く、かつ、所定の面積分だけ物理的加工が施された後に記録媒体が戻った際に、戻った記録媒体を取りやすいものとなる。
【００３０】
図２（ｂ）、（ｃ）に示すように検出手段１４ａ、１４ｂは投光式・受光式の赤外センサー対で構成される。ＣＤ３０の中心孔３０ａが記録媒体用投入口１２に挿入され装置内部に位置した際にＣＤ３０を検出するように設置される。
【００３１】
物理的加工手段１５は、公知のエンボス加工手段で構成され、記録媒体を挟み込み下側に送りこむ機能を同時に備える。物理的加工手段１５を駆動する駆動系Ｍ１は公知の駆動系を適用でき、例えば電動モータ、ギヤボックス等で構成される。また、物理的加工手段１５は線状の傷加工手段で構成することもできる。線状の傷加工手段は、例えば、記録媒体を挟み込んで搬送する搬送ローラ対と、記録媒体の表面に接触し線状の傷を形成する複数の尖り部をこの搬送ローラ対に近接して設けることで構成できる。
【００３２】
位置情報取得手段１６ａ、１６ｂは投光式・受光式の赤外センサー対で構成される。ＣＤ３０の表面積の少なくとも２分の１に物理的加工を施すように、センサー対が設置される。また、好ましくは、ＣＤ３０の表面積の２分の１〜３分の２の範囲に、又は略全面に物理的加工を施すように、センサー対を設置する。
【００３３】
また、検出手段又は位置情報取得手段は、投光式・受光式の赤外センサー対に限定されず、記録媒体の位置を検出できる公知のセンサーであればよく、例えば、反射型の赤外センサー、近接センサー、マイクロスイッチ、リミットスイッチ等で構成することもできる。検出手段１４ａ、１４ｂ又は位置情報取得手段１６ａ、１６ｂは、図２に示す位置に限定されず、その目的達成のためにその設置位置が決定される。例えば、図２（ｂ）において、検出手段１４ａ、１４ｂ、位置情報取得手段１６ａ、１６ｂがＣＤ３０の垂直中心線（不図示）から左側に位置しているが、特にこの位置に限定されず、例えば、略垂直中心線上、垂直中心線の右側に位置するように配置することもできる。また、検出手段又は位置情報取得手段の高さ位置も同様に図２に限定されず、本願目的達成のために配置位置が決定される。
【００３４】
細断手段１７は、公知の細断手段で構成でき、例えばクロスカット、ストレートカット機構のものが適用できる。細断手段１７を駆動する駆動系Ｍ２は公知の駆動系を適用でき、例えば電動モータ、ギヤボックス等で構成される。細断手段１７は後述する装置制御部１８によって駆動制御される。
【００３５】
装置制御部１８は、装置の全体の動作を制御する。装置制御部１８は、例えば専用回路、ファームウエア等で構成できる。装置制御部１８は、その機能として第１制御部、第２制御部を備える。
【００３６】
第１制御部は、位置情報取得手段１６ａ，１６ｂによって取得された位置情報に応じて、記録媒体を投入口方向に送り戻すように制御する。また、位置情報取得手段がセンサーで構成される場合、第１制御部は、センサーが記録媒体を検出した場合に、当該記録媒体を投入口方向に送り戻すように制御する。また、第１制御部は、センサーが記録媒体を検出して所定期間経過後に、当該記録媒体を投入口方向に送り戻すように制御することができる。「所定期間経過」はタイマーによってカウントされ、例えば０．２〜数秒後の範囲で、好ましくは０．５秒後に送り戻すように構成できる。
【００３７】
また、位置情報取得手段がスイッチで構成される場合、第１制御部は、スイッチが記録媒体を検出した場合に、当該記録媒体を投入口方向に送り戻すように制御する。また、第１制御部は、スイッチが記録媒体を検出して所定期間経過後に、当該記録媒体を投入口方向に送り戻すように制御することができる。「所定期間経過」はタイマーによってカウントされ、例えば０．２〜数秒後の範囲で、好ましくは０．５秒後に送り戻すように構成できる。
【００３８】
位置情報取得手段がタイマーで構成される場合、物理的加工が開始されてから所定時間をカウントするように構成され、第１制御部は、タイマーのカウント値が所定値の場合に、記録媒体を投入口方向に送り戻すように制御する。「所定値」は、記録媒体の送りこみ速度と記録媒体の直径寸法から演算され、予めメモリに記憶されている。
【００３９】
第２制御部は、検出手段１４ａ、１４ｂが記録媒体を検出した場合に、物理的加工が開始されるように駆動系Ｍ１を駆動させて、物理的加工手段１５を駆動制御する。
【００４０】
（動作説明）
以下に、本発明の記録媒体加工装置１０の動作を図３のフローチャートを用いて説明する。以下において記録媒体をＣＤとし、電源ＯＮ状態からの動作について説明を開始する。
【００４１】
図２（ａ）、（ｂ）に示すようにＣＤ３０が記録媒体用投入口１２から挿入（投入）される（Ｓ１）。挿入（投入）されたＣＤ３０は検出手段１４ａ，１４ｂが受光状態から遮光状態になったことにより検出される（Ｓ２）。なお、検出手段１４ａ，１４ｂの配置位置は図２に限定されない。
【００４２】
この遮光状態により第２制御部が物理的加工手段１５の駆動を開始するように駆動系Ｍ１に指令を行なう（Ｓ３）。これによりＣＤ３０が内部に送りこまれると同時にエンボス加工が施される。図２に示すように検出手段１４ａ，１４ｂが配置されている場合、ＣＤ３０が送りこまれる動作中に検出手段１４ａ、１４ｂが遮光状態から受光状態になる。
【００４３】
次いで、エンボス加工されながら送りこまれたＣＤ３０は、位置情報検出手段１６ａ，１６ｂが受光状態から遮光状態になることで検出される（Ｓ４）。この遮光により、ＣＤの位置情報が取得され、第１制御部は、ＣＤ３０を記録媒体投入口１２の方向に送り戻すように、物理的加工手段１５を逆回転するように駆動系Ｍ１を制御する（Ｓ５）。
【００４４】
ＣＤ３０が送り戻されると、検出手段１４ａ，１４ｂが受光状態から遮光状態になり、さらに送り戻しが進むとＣＤ３０が物理的加工手段１５による挟持状態から開放され、再び検出手段１４ａ，１４ｂが受光状態になる（Ｓ６）。この受光状態により、第１制御部は物理的加工手段１５の逆回転動作を停止するように駆動系Ｍ１を制御する（Ｓ７）。
【００４５】
以上の動作説明において、位置情報取得手段がセンサー対で構成され、第１制御部がこのセンサー対の検出によって物理的加工手段１５を正回転（進行方向）から、逆回転（戻り方向）に制御するように説明したが、これに限定されない。例えば、第１制御部は、センサ対がＣＤ３０を検出して所定期間経過後に、ＣＤ３０を記録媒体投入口１２方向に送り戻すように制御できる。
【００４６】
また、位置情報取得手段がタイマーで構成される場合、物理的加工が開始されてから（例えば、物理的加工手段１５の起動開始時から）所定時間をタイマーでカウントするように構成し、第１制御部が、当該タイマーのカウント値が所定値の場合に、記録媒体を投入口方向に送り戻すように制御することができる。
【００４７】
（実施形態２）
図４は記録媒体加工装置２０の断面模式図である。本実施形態の記録媒体加工装置２０は紙用の細断手段を有せず、ダストボックスを備えていない。図４に示すように記録媒体加工装置２０は、装置本体２０ａ、電源スイッチ２１、表示部２１ａ、記録媒体用投入口２２を有する。電源スイッチ２１、表示部２１ａ、記録媒体用投入口２２は、実施形態１の同様であるので説明を省略する。また、記録媒体加工装置２０は、実施形態１と同様に、検出手段、物理的加工手段、位置情報取得手段、装置制御部を有し、その動作は実施形態１と同様であるので説明は省略する。
【００４８】
（実施形態３）
実施形態１，２において、記録媒体用投入口が装置中央の頂点部分に形成されていたが、本実施形態では、記録媒体用投入口を装置の側面に設け、記録媒体の挿入、戻り移動を水平移動に構成する。さらに、他の形態として、記録媒体の移動方向が装置の斜め上方から挿入され、逆戻りするように、記録媒体用投入口を装置に設けることもできる。
【図面の簡単な説明】
【００４９】
【図１】実施形態に係る記録媒体加工装置の外観模式図
【図２】実施形態に係る記録媒体加工装置の上面模式図及び断面模式図
【図３】実施形態に係る記録媒体加工装置の動作を説明するフローチャート
【図４】別実施形態に係る記録媒体加工装置の外観模式図
【符号の説明】
【００５０】
１０、２０    記録媒体加工装置
１１、２１    電源スイッチ
１２、２２    記録媒体投入口
１３    紙用投入口
１４ａ、１４ｂ    検出手段
１５    物理的加工手段
１６ａ、１６ｂ    位置情報取得手段
１７    細断手段
１８    装置制御部
３０    ＣＤ
３０ａ  中心孔
【図１】
0003124069.tif 000003
【図２】
0003124069.tif 000004
【図３】
0003124069.tif 000005
【図４】
0003124069.tif 000006